(57)【要約】【課題】アンテナの受信感度が最適な方向を判別することができる情報処理装置および制御方法を提供することを目的とする。【解決手段】パーソナルコンピュータ１０の自機の位置情報、パーソナルコンピュータ１０と通信可能なサーバ装置の位置情報、方角情報を受信し、受信した自機位置の情報、サーバ装置の位置情報および方角情報を用いて、サーバ装置に対する自機の方向を判別し、３Ｇ通信ユニット２７にて受信する電波の感度がサーバ装置と通信可能な感度である場合、判別された方向を表示する。【選択図】図２
2007180917.tif 000002
【特許請求の範囲】
【請求項１】
自機の位置情報、自機と通信可能な外部装置の位置情報を受信する通信手段と、
方角情報を取得する取得手段と、
前記通信手段により受信した前記自機位置の情報、前記外部装置の位置情報および前記取得手段により取得した方角情報を用いて、前記外部装置に対する自機の方向を判別する判別手段と、
前記通信手段にて受信する電波の感度が前記外部装置と通信可能な感度である場合、前記判別手段によって判別された前記方向を表示する表示部と、
を具備することを特徴とする情報処理装置。
【請求項２】
請求項１に記載の情報処理装置において、
前記通信手段は、指向性を調整可能なアンテナ装置であり、前記方向の情報に基づいて前記指向性を調整することを特徴とする情報処理装置。
【請求項３】
請求項１に記載の情報処理装置において、
前記取得手段は、電子コンパス装置であることを特徴とする情報処理装置。
【請求項４】
請求項１に記載の情報処理装置において、
前記判別手段は、所定の間隔で受信した前記自機位置の情報、前記外部装置の位置情報および前記取得手段により取得した方角情報を用いて、前記外部装置に対する自機の方向を判別する手段であることを特徴とする請求項１記載の情報処理装置。
【請求項５】
請求項１に記載の情報処理装置において、
前記判別手段は、所定の間隔で前記サーバ装置から前記自機位置の情報および前記サーバ装置の位置情報を受信し、前記通信手段の最適な方向の判別を行うことを特徴とする情報処理装置。
【請求項６】
自機の位置情報、自機と通信可能な外部装置の位置情報を受信する通信手段と、方角情報を取得する取得手段とを備えた情報処理装置の制御方法であって、
前記通信手段により受信した前記自機位置の情報、前記外部装置の位置情報および前記取得手段により取得した方角情報を用いて、前記外部装置に対する自機の方向を判別する判別ステップと、
前記通信手段にて受信する電波の感度が前記外部装置と通信可能な感度である場合、前記判別ステップによって判別された前記方向を表示する表示ステップと、
を含むことを特徴とする制御方法。
【請求項７】
請求項６に記載の制御方法において、
前記通信手段は、指向性を調整可能なアンテナ装置であり、前記方向の情報に基づいて前記指向性を調整することを特徴とする制御方法。
【請求項８】
請求項６に記載の制御方法において、
前記判別ステップは、所定の間隔で受信した前記自機位置の情報、前記外部装置の位置情報および前記取得手段により取得した方角情報を用いて、前記外部装置に対する自機の方向を判別することを特徴とする制御方法。
【請求項９】
請求項６に記載の制御方法において、
前記判別ステップは、所定の間隔で前記外部装置から前記自機位置の情報および前記外部装置の位置情報を受信し、前記通信手段の最適な方向の判別を行うことを特徴とする制御方法。
【発明の詳細な説明】
【技術分野】
【０００１】
本発明は、無線通信装置を内蔵した情報処理装置に係り、特に無線通信装置のアンテナの受信感度が最適な方向を判別することができる情報処理装置および制御方法に関する。
【背景技術】
【０００２】
従来、パーソナルコンピュータ等を用いた無線通信装置では、受信感度を改善するためにユーザが適当に様々な位置に端末を動かせることにより、偶然に感度が良くなった位置で止めて使用する等が行われている。また、ＧＰＳ等を用いた位置情報を取得しているが、受信感度の改善には用いられていない（特許文献１参照）。
【特許文献１】特開平８−３１６９０４号公報
【発明の開示】
【発明が解決しようとする課題】
【０００３】
上述した技術では、無線通信で用いるアンテナ等の受信感度を改善するためには、ユーザの間隔で適当に向きを変えて受信感度が良い場所をさがせなければならない。また、特許文献１の技術においては、受信した位置情報を受信感度改善のためにもちいるものではない。
【０００４】
本発明は上述の事情を考慮してなされたものであり、アンテナの受信感度が最適な方向を判別することができる情報処理装置および制御方法を提供することを目的とする。
【課題を解決するための手段】
【０００５】
上記目的を達成するために、本願発明の一態様によれば、自機の位置情報、自機と通信可能な外部装置の位置情報を受信する通信手段と、方角情報を取得する取得手段と、前記通信手段により受信した前記自機位置の情報、前記外部装置の位置情報および前記取得手段により取得した方角情報を用いて、前記外部装置に対する自機の方向を判別する判別手段と、前記通信手段にて受信する電波の感度が前記外部装置と通信可能な感度である場合、前記判別手段によって判別された前記方向を表示する表示部とを具備することを特徴とする情報処理装置が提供される。
【発明の効果】
【０００６】
本発明によればアンテナの受信感度が最適な方向を判別することができる情報処理装置および制御方法を提供することが可能である。
【発明を実施するための最良の形態】
【０００７】
以下、図面を参照して本発明の一実施形態を説明する。
【０００８】
図１には、本発明の一実施形態に係る情報処理装置のシステム構成図が示されている。この情報処理装置は、バッテリ駆動可能なノートブック型のコンピュータ１０として実現されている。
【０００９】
図１に示すように、コンピュータ１０は、コンピュータ本体と、ディスプレイユニット１１とから構成されている。ディスプレイユニット１１にはＬＣＤ（Liquid Crystal Display）からなる表示装置が組み込まれており、そのＬＣＤの表示画面１２はディスプレイユニット１１のほぼ中央に位置されている。また、ディスプレイユニット１１には、無線通信を行うためのアンテナ１６ａ〜１６ｄが内蔵されている。このアンテナ１６ａ〜１６ｄは、指向性を調整できるもので、例えばスマートアンテナと呼ばれているタイプのものでもよい。
【００１０】
ディスプレイユニット１１は、コンピュータ１０に対して解放位置と閉塞位置との間を回動自在に取り付けられている。コンピュータ１０の本体側は薄い箱形の筐体を有しており、その上面にはキーボード１３、パームレスト上にはタッチパッド１４、および左右２つのボタン１４ａ、１４ｂ、側面には光学ドライブユニット１５等が配置されている。
【００１１】
図２は、コンピュータ１０の構成を示したブロック図である。
【００１２】
コンピュータ１０は、ＣＰＵ（Central Processing Unit）２０、主メモリ（ＭＥＭ）２１、ノースブリッジ（ＮＢ）２２、サウスブリッジ（ＳＢ）２３、エンベデッドコントローラ（ＥＣ）２４、電子コンパス２５、ＧＰＳモジュール２６、３Ｇ通信ユニット２７、アンテナ１６ａ〜１６ｄなどを備えている。
【００１３】
ＣＰＵ２０は、本コンピュータの動作を制御するプロセッサであり、図示しないＨＤＤ（ハードディスクドライブ）から主メモリ２１にロードされる各種プログラム（オペレーティングシステム、アプリケーションプログラム）を実行する。また、ＣＰＵ２０は、図示しないＢＩＯＳ−ＲＯＭに格納されたＢＩＯＳ（Basic Input Output System）も実行する。ＢＩＯＳはハードウェアを制御するためのプログラムである。
【００１４】
ＥＣ２４は、電力管理のためのエンベデッドコントローラとキーボード１３およびタッチパッド１４を制御するためのキーボードコントローラとが集積された１チップマイクロコンピュータである。ＥＣ２４には、電子コンパス２５およびＧＰＳモジュール２６が接続される。このＥＣ２４は、ユーザによるパワーボタンの操作に応じて、電源コントローラと共同して、本コンピュータ１０をパワーオン／パワーオフする機能を有している。
【００１５】
３Ｇ通信ユニット２７は、接続されたアンテナ１６ａ〜１６ｄを経由してデータ等を受信し、受信したデータを処理する。アンテナ１６ａ〜１６ｄは、受信感度等に応じた指向性を持つことができる。例えば、アンテナ１６ａ〜１６ｄのうち受信感度の良い方向に近いアンテナを使用し、受信感度の方向が変化すれば、変化した方向に近い別のアンテナを使用するように切り換えることができる。
【００１６】
電子コンパス２５は、コンピュータ１０の向いている方角情報を取得する。ＧＰＳモジュール２６は、位置情報を衛星から受信する。コンピュータ１０は、ＧＰＳモジュール２６によって位置情報を取得するとサーバ装置に取得した位置情報を送信する。サーバ装置は、この位置情報を解析し、コンピュータ１０の自機位置の情報とサーバ装置の位置情報とをコンピュータ１０に送信する。なお、ＧＰＳモジュール２６は３Ｇ通信ユニット２７に内蔵してもよい。
【００１７】
以上のように構成された本発明の情報処理装置の制御方法について説明する。
【００１８】
図３は、本発明の実施形態に係る情報処理装置を適用した制御方法について説明したフローチャートである。
【００１９】
ＣＰＵ２０は、ＧＰＳモジュール２６により受信した受信情報（位置情報）を、３Ｇ通信ユニット２７を経由してサーバ装置に送信する（ステップＳ１）。サーバ装置は、受信した受信情報（位置情報）に基づいてコンピュータ１０の自機位置の情報の解析処理を行い、解析された自機位置の情報と、サーバ装置の位置情報と、自機位置の情報およびサーバ装置の位置情報の位置関係が含まれる地図情報とをコンピュータ１０に送信する（ステップＳ２）。
【００２０】
コンピュータ１０は、自機の位置情報、サーバ装置の位置情報と、電子コンパス２５から取得した方角情報と、３Ｇ通信ユニット２７から取得した受信感度情報とを受信し、自機の位置情報、サーバ装置の位置情報および方角情報を用いて、自機の方向を判別する（ステップＳ３）。続いて、コンピュータ１０は、３Ｇ通信ユニット２７の受信感度がサーバ装置と通信するために十分な感度であるか否かを判別し（ステップＳ４）、十分な感度であると判別された場合は（ステップＳ４のＹＥＳ）、３Ｇ通信ユニット２７は、判別された最適な方向に近いアンテナ、例えばアンテナ１６ａを起動させる等の処理を行い（ステップＳ５）、判別されたな最適な方向を表示画面１２に表示する（ステップＳ６）。例えば、コンピュータ１０のディスプレイユニット１１を開いた状態で、ディスプレイユニット１１の背後方向を「後」、コンピュータ１０のタッチパッド１４側方向を「前」、コンピュータ１０の右側方向を「右」、コンピュータ１０の左側方向を「左」とした場合に、図４で示した場合では、「前」方向が最適な方向であることを表示しており、図５で示した場合では、「後」方向が最適な方向であることを表示している。
【００２１】
以上より、アンテナの受信感度が最適な方向を判別することができ、自動的にアンテナの方向を調整することができる。
【００２２】
次に、上述した実施形態の変形例について説明する。
【００２３】
図６は、上述した実施形態の変形例について説明したフローチャートである。
【００２４】
本変形例では、指向性を調整できるスマートアンテナ等を用いず、通常のアンテナを用いた場合の実施形態である。
【００２５】
ステップＳ１０〜ステップＳ１３は、上述した実施形態のステップＳ１〜ステップＳ５までに相当する。そして、コンピュータ１０は、判別された最適な方向を表示画面１２に表示する（ステップＳ１４）。ユーザは、この判別された最適な方向の表示を見て、受信感度が最適であると判別された方向を把握しながら、コンピュータ１０の設置の向きを変える等の作業を行う。
【００２６】
なお、この判別された最適な方向の表示は、専用のアプリケーションを用いて中央等に大きく表示しても良いし、図７に示すように、タスクバー３０等にアイコン３１等の形態で常に表示するようにしてもよい。
【００２７】
以上より、表示画面１２上にアンテナの受信感度が最適な方向を表示することにより、ユーザが容易に最適な受信感度を把握できるようになる。
【００２８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２９】
【図１】本発明の一実施形態に係る情報処理装置を適用したノートＰＣの構成を示す斜視図。
【図２】ノートＰＣの構成を示したブロック図。
【図３】取得した情報から最適な受信感度となる方向を表示する制御方法について説明したフローチャート。
【図４】最適な受信感度の方向を示した模式図。
【図５】最適な受信感度の方向を示した模式図。
【図６】指向性の調整機能を持つスマートアンテナを用いて、取得した情報から最適な受信感度となる方向を表示する制御方法について説明したフローチャート。
【図７】最適な受信感度の方向をタスクバー上に示した模式図。
【符号の説明】
【００３０】
１０…コンピュータ、１１…ディスプレイユニット、１２…表示画面、１３…キーボード、１４…タッチパッド、１５…光学ドライブユニット、１６ａ〜１６ｄ…アンテナ、２０…ＣＰＵ、２１…主メモリ、２２…ノースブリッジ、２３…サウスブリッジ、２４…エンベデッドコントローラ、２５…電子コンパス、２６…ＧＰＳモジュール、２７…３Ｇ通信ユニット、３０…タスクバー、３１…アイコン。
【図１】
2007180917.tif 000003
【図２】
2007180917.tif 000004
【図３】
2007180917.tif 000005
【図４】
2007180917.tif 000006
【図５】
2007180917.tif 000007
【図６】
2007180917.tif 000008
【図７】
2007180917.tif 000009